(57)【特許請求の範囲】
【請求項１】
入力操作および画面表示が可能な操作部と、
少なくとも１列に並ぶ３つ以上のスイッチを有し、前記操作部により前記スイッチが押下されるスイッチ部と、
前記スイッチ部の押下状態に応じて前記操作部の画面表示を切り替える制御部と、を備え、
前記制御部は、前記１列に並ぶ３つ以上のスイッチのうち一端側に位置するスイッチを含み他端側に位置するスイッチを除く複数のスイッチが押下状態である場合には、一端側に位置するスイッチが押下されていると判定する
ことを特徴とする電子機器。
【請求項２】
前記制御部は、前記１列に並ぶ３つのスイッチのすべてが押下状態である場合には、中央に位置するスイッチが押下されていると判定する
ことを特徴とする請求項１に記載の電子機器。
【請求項３】
前記操作部の動作における支点としての支え部が、前記操作部と前記スイッチ部との間に配置されている
ことを特徴とする請求項１または２に記載の電子機器。
【請求項４】
前記操作部の画面表示が、前記入力操作を指示する情報である
ことを特徴とする請求項１ないし３のいずれか１項に記載の電子機器。
【請求項５】
前記操作部は、ディスプレイであり、前記入力操作を指示する情報が前記スイッチと対をなす位置に表示される
ことを特徴とする請求項１ないし４のいずれか１項に記載の電子機器。
【発明の詳細な説明】
【技術分野】
【０００１】
本発明は、電子機器に関する。
【背景技術】
【０００２】
印刷装置などの電子機器の中には、ユーザーからの入力操作をタッチパネル（例えば、
特許文献１）により受け付けるものがある。
【先行技術文献】
【特許文献】
【０００３】
【特許文献１】特開平４−３６４５１２号
【発明の概要】
【発明が解決しようとする課題】
【０００４】
しかし、タッチパネルは通常のパネルより高価である。そのため、簡単な入力操作しか
行わない電子機器にタッチパネルを設けることは、製造コストの面で負担となる場合があ
る。
【０００５】
本発明は、タッチパネルよりも低コストで、かつ、簡単な方法でタッチパネルと同様の
入力操作を実現する技術を提供することを目的とする。
【課題を解決するための手段】
【０００６】
上記課題を解決するための本願発明は、入力操作および画面表示が可能な操作部と、少なくとも１列に並ぶ３つ以上のスイッチを有し、前記操作部により前記スイッチが押下されるスイッチ部と、前記スイッチ部の押下状態に応じて前記操作部の画面表示を切り替える制御部と、を備え、前記制御部は、前記１列に並ぶ３つ以上のスイッチのうち一端側に位置するスイッチを含み他端側に位置するスイッチを除く複数のスイッチが押下状態である場合には、一端側に位置するスイッチが押下されていると判定する。
【図面の簡単な説明】
【０００７】
【図１】本発明の実施形態に係る操作パネルの断面図である。
【図２】（Ａ）操作パネルを構成する外装の上面図である。（Ｂ）操作パネルを構成する表示モジュールの上面図である。（Ｃ）操作パネルを構成する基板（第１の実施形態）の上面図である。
【図３】（Ａ）表示モジュールに表示する画面イメージの１例（第１の実施形態）を示す図である。（Ｂ）表示モジュールに表示する画面イメージの別例（第１の実施形態）を示す図である。
【図４】対応テーブル（第１の実施形態）の概略データ構造を示す図である。
【図５】操作パネルを構成する基板（第２の実施形態）の上面図である。
【図６】表示モジュールに表示する画面イメージの一例（第２の実施形態）を示す図である。
【図７】対応テーブル（第２の実施形態）の概略データ構造を示す図である。
【図８】（Ａ）２つのスイッチが押された場合の判定方法を説明するための図である。（Ｂ）３つのスイッチ（一列に並ぶスイッチの全て）が押された場合の判定方法を説明するための図である。（Ｃ）３つのスイッチ（角のスイッチを含む）が押された場合の判定方法を説明するための図である。
【発明を実施するための形態】
【０００８】
（第１の実施形態）
以下、本発明の実施形態の一例を図面を参照して説明する。
【０００９】
図１は、本発明の第１の実施形態が適用された操作パネル１００の断面図（側面図）を
示す。
【００１０】
操作パネル１００は、ユーザーからの入力操作を受け付ける機能、及び、所定の画面を
表示する機能を有する。例えば、操作パネル１００は、印刷装置、スキャナー装置、複合
機、複写機、ファックス装置、などの電子機器に設けられる。
【００１１】
操作パネル１００は、図示するように、表示モジュール１１０と、表示モジュール台１
２０と、スイッチ１３０と、支柱１４０と、基板１５０と、電子機器の外装（筐体）１６
０と、を備える。
【００１２】
また、図２（Ａ）は、外装１６０の上面図である。図２（Ｂ）は、表示モジュール１２
０の上面図である。図２（Ｃ）は、基板１５０の上面図である。
【００１３】
外装１６０は、電子機器における各種機能を実現する電子回路や機構を保護するために
電子機器全体を覆う。そして、外装１６０の表示モジュール１１０を収める位置には、図
１、図２（Ａ）に示すように、所定形状（例えば、表示モジュール１１０を収めるために
、表示モジュール１１０の枠１１２と同形状）の表示モジュール窓（穴）が設けられる。
【００１４】
表示モジュール１１０は、表示モジュール台１２０と一体的に動くように、表示モジュ
ール台１２０の上に固定して接着される。表示モジュール１１０は、図２（Ｂ）に示すよ
うに、ディスプレイ１１１と、枠１１２と、ＦＦＣ（Flexible Flat Cable）１１３と、
を備える。
【００１５】
ディスプレイ１１１は、基板１５０に備わる制御部（不図示）で生成された画面イメー
ジ（グラフィックス情報）を表示するユニットである。ディスプレイ１１１は、液晶ディ
スプレイや有機ＥＬ（Electro-Luminescence）ディスプレイなどで構成される。
【００１６】
枠１１２は、ディスプレイ１１１を固定し、電子機器の内部に埃などが進入するのを防
ぐ。
【００１７】
ＦＦＣ１１３は、基板１５０に備わる制御部（不図示）から出力される電気信号（表示
のための画面イメージ）をディスプレイ１１１に入力するケーブルである。
【００１８】
表示モジュール台１１２は、表示モジュール１１０を載せて一体的に動く。表示モジュ
ール台１１２は、基板１５０と平行となるようにスイッチ１３０、支柱１４０の上に配置
される。ディスプレイ１１１の表示面上がタッチされていない状態においては、表示モジ
ュール台１１２の基板１５０側の面は、基板１５０と平行に保たれている。
【００１９】
そして、表示モジュール１１０と表示モジュール台１２０は、ディスプレイ１１１の表
示面上がタッチされると、支柱１４０の位置を支点として、一体的に傾く。すなわち、表
示モジュール１１０および表示モジュール台１２０は、ディスプレイ１１１の表示面上が
タッチされると、支柱１４０の位置からみて、タッチされた位置側が下がり、タッチされ
ていない側が上がるように傾く。
【００２０】
基板１５０は、ディスプレイ１１１の表示面の反対側に対向して配置される。また、基
板１５０の表示モジュール１１０側の面には、図１、図２（Ｃ）に示すように、複数のス
イッチ１３０と、支柱１４０と、コネクタ１５１と、が所定位置に設けられる。
【００２１】
本実施形態が適用されたスイッチ１３０は、図２（Ｃ）に示すように、４つのスイッチ
機構で構成される。４つのスイッチ機構は、矩形のディスプレイ１１１の各辺の中央付近
にそれぞれ配置される。例えば、第１スイッチ１３０ａは、ユーザーの位置からみて左側
に配置されるスイッチ機構である。第２スイッチ１３０ｂは、ユーザーの位置からみて右
側に配置されるスイッチ機構である。第３スイッチ１３０ｃは、ユーザーの位置からみて
奥側に配置されるスイッチ機構である。第４スイッチ１４０ｄは、ユーザーの位置からみ
て手前側に配置されるスイッチ機構である。
【００２２】
それぞれのスイッチ１３０（ａ〜ｄ）は、独立して動作し、表示モジュール台１２０の
傾きに応じて、オン、オフを検知する。すなわち、ディスプレイ１１１の表示面における
タッチ位置近くに配置されたスイッチ１３０（ａ〜ｄ）がオンを検知する。そして、スイ
ッチ１３０（ａ〜ｄ）は、表示モジュール台１２０に押されてオンを検知すると、制御部
にオン信号を通知する。
【００２３】
支柱１４０は、ディスプレイ１１１のほぼ中心位置（基板１５０上）に配置される。支
柱１４０の高さは、オフ状態である各スイッチ１３０（ａ〜ｄ）の高さとほぼ同じになる
ように設計される。
【００２４】
コネクタ１５１は、ＦＦＣ１１３を基板１５０に接続するためのインターフェイスであ
る。
【００２５】
また、電子機器は、不図示の制御部を備え、電子機器における各種機能を実現する。す
なわち、制御部は、電子機器における様々な処理を行う中心的ユニットであり、電子機器
全体を制御する。
【００２６】
制御部の主な構成要素は、主制御装置であるＣＰＵと、プログラム等が記録されたＲＯ
Ｍと、メインメモリーとしてデータ等を一時的に格納するＲＡＭと、ホストコンピュータ
ー等との入出力を制御するインターフェイスと、各構成要素間の通信経路となるシステム
バスとを備えた一般的なコンピューターにより達成することができる。なお、各処理を専
用に行うように設計されたＡＳＩＣ（Application Specific Integrated Circuit）で構
成されていてもよい。
【００２７】
上記のような構成要素を備える制御部は、所定の画面イメージを生成し、ディスプレイ
１１１に表示する。具体的には、制御部は、ＲＯＭ等に予め格納されている画面イメージ
を読み出し、ディスプレイ１１１に画面イメージを表示する。
【００２８】
ここで、制御部は、ユーザーに操作を促す操作情報を、各スイッチ機構と対をなす位置
に表示する。具体的には、制御部がディスプレイ１１１に表示する画面イメージには、各
スイッチ１３０（ａ〜ｄ）と対をなす位置（各スイッチの真上の位置）に、指示ボタンが
表示される。
【００２９】
こうすることにより、ユーザーは指示ボタンをタッチする感覚で、ディスプレイ１１１
の表示面にタッチできる。そして、そのタッチ位置に基づき表示モジュール１１０及び表
示モジュール台１２０が一体的に傾くため、タッチ位置の近く（下部）に配置されたスイ
ッチ１３０をオンにすることができる。
【００３０】
図３（Ａ）は、制御部が生成する画面イメージの一例を示す図である。
【００３１】
図示する例では、制御部は、複数の項目（図示する例では「プリンター設定」、「管理
者設定」、「消耗品情報」）と、項目を上方向にスクロールさせるための上スクロール指
示ボタンと、項目を下方向にスクロールさせるための下スクロール指示ボタンと、複数の
項目の中からいずれかの項目を選択（決定）する選択指示ボタンと、を表示する。例えば
、上スクロール指示ボタンは、第３スイッチ１３０ｃに対応する位置（スイッチの上部）
に表示される。また、下スクロール指示ボタンは、第４スイッチ１３０ｄに対応する位置
（スイッチの上部）に表示される。また、選択指示ボタンは、第２スイッチ１３０ｂに対
応する位置（スイッチの上部）に表示される。
【００３２】
また、図３（Ｂ）は、制御部が生成する画面イメージの別例を示す図である。
【００３３】
図示する例では、制御部は、ユーザーに通知するメッセージと、メッセージの内容（指
示）を決定するための決定指示ボタンと、メッセージの内容（指示）を取り消すための取
消指示ボタンと、を表示する。例えば、決定指示ボタンは、第２スイッチ１３０ｂに対応
する位置に設けられる。また、取消指示ボタンは、第１スイッチ１３０ａに対応する位置
に設けられる。
【００３４】
また、制御部は、スイッチ１３０（ａ〜ｄ）の状態に応じて、ディスプレイ１１１に表
示する画面イメージを切り替える。
【００３５】
具体的には、まず、制御部は、スイッチ１３０（ａ〜ｄ）からオン信号が供給されると
、表示中の画面イメージに対応する対応テーブル３００をＲＯＭ等から読み出す。なお、
対応テーブル３００は、ディスプレイ１１１に表示する画面イメージごとに、予めＲＯＭ
等に格納されているものとする。
【００３６】
図４は、対応テーブル３００の概略データ構造の一例を示す図である。図示するように
、対応テーブル３００は、スイッチごとのレコード３０３からなる。各レコード３０３に
は、各スイッチ１３０（ａ〜ｄ）を識別するスイッチ名３０１と、ユーザーからの指示内
容３０２と、が対応付けて格納されている。
【００３７】
次に、制御部は、オンの状態のスイッチ１３０（ａ〜ｄ）に対応するスイッチ名３０１
を対応テーブル３００から検索し、検索したスイッチ名３０１に対応付けられている指示
内容３０２を読み出す。
【００３８】
それから、制御部は、読み出した指示内容３０２に従って、表示すべき所定の画面イメ
ージをＲＯＭ等から読み出し、ディスプレイ１１１に表示する。
【００３９】
図３に示す画面例で説明すると、制御部は、図３（Ａ）に示す画面イメージを表示中に
、第２スイッチ１３０ｂがオンにされると、図３（ｂ）に示す画面イメージに切り替える
。また、制御部は、図３（Ａ）に示す画面イメージを表示中に、第３スイッチ１３０ｃが
オンにされると、表示中の項目を上にスクロールさせて別の項目を表示する画面イメージ
に切り替える。同様に、制御部は、図３（Ａ）に示す画面イメージを表示中に、第４スイ
ッチ１３０ｄがオンにされると、表示中の項目を下にスクロールさせて別の項目を表示す
る画面イメージに切り替える。
【００４０】
なお、上記では、対応テーブル３００を用いて、スイッチ１３０（ａ〜ｄ）の状態に応
じた指示内容を特定するようにしているが、本発明はこれに限定されない。例えば、対応
テーブル３００に代替可能なハードウェア（回路）を用いて実現してもよい。
【００４１】
本実施形態が適用された操作パネル１００は、以上のような構成からなる。これにより
、操作パネル１００は、タッチパネルよりも低コストで、かつ、簡単な方法でタッチパネ
ルと同様の入力操作を実現することができる。
【００４２】
なお、上記した各構成要素は、操作パネル１００の構成を理解容易にするために、主な
役割に応じて分類したものである。構成要素の分類の仕方や名称によって、本願発明が制
限されることはない。操作パネル１００の構成は、役割に応じて、さらに多くの構成要素
に分類することもできる。また、１つの構成要素がさらに多くの役割を担うように分類す
ることもできる。
【００４３】
（第２の実施形態）
次に、本発明の第２の実施形態について図面を参照して説明する。
【００４４】
本実施形態の操作パネル１００は、基板１５０に配置されるスイッチ１３０の個数が第
１の実施形態とは異なる。その他の構成は、第１の実施形態と同様である。
【００４５】
図５は、第２の実施形態が適用された基板１５０の上面図である。
【００４６】
本実施形態が適用されたスイッチ１３０は、図示するように、８つのスイッチ機構から
構成される。基板１５０上には、第１の実施形態で説明した第１〜第４スイッチ１３０（
ａ〜ｄ）に加え、さらに、第５スイッチ１３０ｅ、第６スイッチ１３０ｆ、第７スイッチ
１３０ｇ、第８スイッチ１３０ｈが配置される。
【００４７】
８つのスイッチ機構は、矩形のディスプレイ１１１の各辺の中央付近、及び、頂点付近
にそれぞれ配置される。例えば、第５スイッチ１３０ｅは、ユーザーの位置からみて左奥
側に配置されるスイッチ機構である。第６スイッチ１３０ｆは、ユーザーの位置からみて
右奥側に配置されるスイッチ機構である。第７スイッチ１３０ｇは、ユーザーの位置から
みて左手前側に配置されるスイッチ機構である。第８スイッチ１４０ｈは、ユーザーの位
置からみて右手前側に配置されるスイッチ機構である。
【００４８】
それぞれのスイッチ１３０（ａ〜ｈ）は、独立して動作し、表示モジュール台１２０の
傾きに応じて、オン、オフを検知する。すなわち、ディスプレイ１１１の表示面における
タッチ位置近くに配置されたスイッチ１３０（ａ〜ｈ）がオンを検知する。そして、スイ
ッチ１３０（ａ〜ｈ）は、表示モジュール台１２０に押されてオンを検知すると、制御部
にオン信号を通知する。
【００４９】
そして、制御部は、第１の実施形態と同様に、所定の画面イメージを生成し、ディスプ
レイ１１１に表示する。具体的には、制御部は、ＲＯＭ等に予め格納されている画面イメ
ージを読み出し、ディスプレイ１１１に画面イメージを表示する。
【００５０】
ここで、制御部は、ユーザーに操作を促す操作情報を、各スイッチ機構と対をなす位置
に表示する。具体的には、制御部がディスプレイ１１１に表示する画面イメージには、各
スイッチ１３０（ａ〜ｈ）と対をなす位置（各スイッチの真上の位置）に、指示ボタンが
表示される。
【００５１】
こうすることにより、ユーザーは指示ボタンをタッチする感覚で、ディスプレイ１１１
の表示面にタッチできる。そして、そのタッチ位置に基づき表示モジュール１１０及び表
示モジュール台１２０が一体的に傾くため、タッチ位置の近く（下部）に配置されたスイ
ッチ１３０をオンにすることができる。
【００５２】
図６は、本実施形態において制御部が生成する画面イメージの一例を示す図である。
【００５３】
図示する例では、制御部は、図３（Ａ）で表示する指示ボタンに加え、さらに、前画面
を表示させるための前画面指示ボタンと、次画面を表示させるための次画面指示ボタンと
、メニュー画面（初期画面）を表示させるための初期画面指示ボタンと、を表示する。例
えば、前画面指示ボタンは、第５スイッチ１３０ｅに対応する位置（スイッチの上部）に
表示される。また、次画面指示ボタンは、第６スイッチ１３０ｆに対応する位置（スイッ
チの上部）に表示される。また、初期画面指示ボタンは、第７スイッチ１３０ｇに対応す
る位置（スイッチの上部）に表示される。
【００５４】
以上のように、本実施形態の操作パネル１００は、第１の実施形態の操作パネル１００
と比較して、基板１５０に配置するスイッチ機構を増加させている。そのため、それぞれ
のスイッチ機構と対をなす指示ボタンを、より多くディスプレイ１１１に表示することが
できる。
【００５５】
また、制御部は、第１の実施形態と同様に、スイッチ１３０（ａ〜ｈ）の状態に応じて
、ディスプレイ１１１に表示する画面イメージを切り替える。
【００５６】
具体的には、まず、制御部は、スイッチ１３０（ａ〜ｈ）からオン信号が供給されると
、対応テーブル３００をＲＯＭ等から読み出す。
【００５７】
図７は、本実施形態における対応テーブル３００の概略データ構造の一例を示す図であ
る。図示するように、対応テーブル３００は、スイッチごとのレコード３０３からなる。
各レコード３０３には、各スイッチ１３０（ａ〜ｄ）を識別するスイッチ名３０１と、ユ
ーザーからの指示内容３０２と、が対応付けて格納されている。なお、本実施形態の対応
テーブル３００におけるレコード３０３は、基板１５０に配置するスイッチ機構の個数に
応じて増減する。
【００５８】
次に、制御部は、オンの状態のスイッチ１３０（ａ〜ｈ）に対応するスイッチ名３０１
を対応テーブル３００から検索し、検索したスイッチ名３０１に対応付けられている指示
内容３０２を読み出す。
【００５９】
それから、制御部は、読み出した指示内容３０２に従って、表示すべき所定の画面イメ
ージをＲＯＭ等から読み出し、ディスプレイ１１１に表示する。
【００６０】
図７に示す画面例で説明すると、制御部は、図６に示す画面イメージを表示中に、第５
スイッチ１３０ｅがオンにされると、表示中の画面イメージに遷移する前に表示していた
画面イメージ（前ページ）に切り替える。また、制御部は、図６に示す画面イメージを表
示中に、第６スイッチ１３０ｆがオンにされると、次に遷移予定の画面イメージ（次ペー
ジ）に切り替える。また、制御部は、図６に示す画面イメージを表示中に、第７スイッチ
１３０ｇがオンにされると、メニュー画面（初期画面）を表示する画面イメージに切り替
える。
【００６１】
なお、本実施形態の操作パネル１００は、第１の実施形態の操作パネル１００と比較し
て、基板１５０に配置するスイッチ機構を増加させているため、各スイッチ１３０（ａ〜
ｈ）同士の距離は近くなる。そのため、ユーザーによるタッチの強さや、タッチ位置によ
っては、同時に複数のスイッチ１３０（ａ〜ｈ）が押されてしまうことが起こり得る。
【００６２】
そこで、本実施形態では、制御部は、複数のスイッチ１３０（ａ〜ｈ）からオン信号が
供給されると、対応テーブル３００をＲＯＭ等から読み出す前に、ユーザーに押されたス
イッチ１３０（ａ〜ｈ）を特定する（１つに絞る）判定処理を行う。
【００６３】
図８（Ａ）は、１列に並ぶスイッチ機構のうち一部のスイッチ機構が押下されている状
態である場合の判定処理を説明するための図である。
【００６４】
この場合、制御部は、押下されているスイッチ機構のうち端側に配置されたスイッチ機
構が押下されていると判定する。図示する例で説明すると、制御部は、第５スイッチ１３
０ｅと第１スイッチ１３０ａからオン信号が供給された場合には、端側に配置された第５
スイッチ１３０ｅが押下されていると判定する。
【００６５】
また、図８（Ｂ）は、１列に並ぶスイッチ機構のうち全部のスイッチ機構が押下されて
いる状態である場合の判定処理を説明するための図である。
【００６６】
この場合、制御部は、押下されているスイッチ機構のうち中央に配置されたスイッチ機
構が押下されていると判定する。図示する例で説明すると、制御部は、第５スイッチ１３
０ｅ、第１スイッチ１３０ａ、第７スイッチ１３０ｇからオン信号が供給された場合には
、中央位置に配置された第１スイッチ１３０ａが押下されていると判定する。
【００６７】
また、図８（Ｃ）は、角に配置されたスイッチ機構を含む複数のスイッチ機構が押下さ
れている状態である場合の判定処理を説明するための図である。
【００６８】
この場合、制御部は、押下されているスイッチ機構のうち角に配置されたスイッチ機構
が押下されていると判定する。図示する例で説明すると、制御部は、第５スイッチ１３０
ｅ、第１スイッチ１３０ａ、第３スイッチ１３０ｃからオン信号が供給された場合には、
角に配置された第５スイッチ１３０ｅが押下されていると判定する。
【００６９】
そして、制御部は、押されているスイッチ１３０（ａ〜ｈ）を特定（判定）後、対応テ
ーブル３００をＲＯＭ等から読み出す。ただし、対応テーブル３００は、第１の実施形態
と同様に、ディスプレイ１１１に表示する画面イメージごとに、予めＲＯＭ等に格納され
ているものとする。
【００７０】
続く処理は第１の実施形態と同様であり、制御部は、押されていると特定（判定）した
スイッチ１３０（ａ〜ｈ）に対応するスイッチ名３０１を対応テーブル３００から検索し
、検索したスイッチ名３０１に対応付けられている指示内容３０２を読み出す。それから
、制御部は、読み出した指示内容３０２に従って、表示すべき所定の画面イメージをＲＯ
Ｍ等から読み出し、ディスプレイ１１１に表示する。
【００７１】
以上のように、同時に複数のスイッチ１３０（ａ〜ｈ）が押される場合であっても、ユ
ーザーに押されたスイッチ１３０（ａ〜ｈ）を特定（判定）することにより、ユーザーの
意図をなるべく反映させて画面イメージの切り替えができる。そのため、基板１５０上に
複数のスイッチ１３０（ａ〜ｈ）を密集させて配置することも可能となる。
【００７２】
なお、上記した各構成要素は、操作パネル１００の構成を理解容易にするために、主な
役割に応じて分類したものである。構成要素の分類の仕方や名称によって、本願発明が制
限されることはない。操作パネル１００の構成は、役割に応じて、さらに多くの構成要素
に分類することもできる。また、１つの構成要素がさらに多くの役割を担うように分類す
ることもできる。
【００７３】
また、本発明は、上記各実施形態に限定されず、種々の変形、応用が可能である。
【００７４】
例えば、上記各実施形態では、４つのスイッチ１３０（ａ〜ｄ）が基板１５０に配置さ
れる場合と、８つのスイッチ１３０（ａ〜ｈ）が基板１５０に配置される場合について説
明している。しかし、本発明は、これに限定されない。例えば、基板１５０に配置される
スイッチの個数は、３個以下、５個から７個、９個以上であってもよい。
【００７５】
また、上記各実施形態では、スイッチ１３０の状態に応じて、ディスプレイ１１１に表
示する画面イメージを切り替える場合について説明している。しかし、本発明は、これに
限定されない。制御部は、スイッチ１３０の状態に応じて、実行する処理（印刷実行、ス
キャン実行、など）を切り替えてもよい。
【符号の説明】
【００７６】
１００・・・操作パネル、１１０・・・表示モジュール、１１１・・・ディスプレイ、
１１２・・・枠、１１３・・・ＦＦＣ、１２０・・・表示モジュール台、１３０・・・ス
イッチ、１４０・・・支柱、１５０・・・基板、１５１・・・コネクタ、３００・・・対
応テーブル、３０１・・・スイッチ名、３０２・・・指示内容、３０３・・・レコード
【図１】
0005402429.tif 000002
【図２】
0005402429.tif 000003
【図３】
0005402429.tif 000004
【図４】
0005402429.tif 000005
【図５】
0005402429.tif 000006
【図６】
0005402429.tif 000007
【図７】
0005402429.tif 000008
【図８】
0005402429.tif 000009